(57)【特許請求の範囲】
【請求項１】
通信リソースを用いて通信端末と通信を行う通信手段と、
前記通信手段の通信相手の通信端末を選択する規制制御手段とを備え、
前記規制制御手段は、前記通信端末に通信開始の要求をされたときに通信するための前記通信リソースが不足している場合に、前記要求をした通信端末の台数が所定の台数未満であるときに、前記通信端末に応じて前記通信リソースを利用予約中であることを示す予約情報を生成する予約情報生成手段を含み、
前記通信手段は、前記予約情報生成手段が生成した前記予約情報に応じた通信端末から通信開始の要求を再度された場合に、前記通信端末に前記通信リソースを割り当て可能なときに、前記通信端末との接続を確立して通信を開始し、
前記予約情報生成手段は、前記通信端末に通信開始の要求をされたときに通信するための前記通信リソースが不足している場合に、前記要求をした前記通信端末が再度前記要求をすることが可能になる時間を示す要求可能時間情報を含む予約情報を生成し、
前記要求に応じて生成した予約情報の数が所定の数以上であるときにおける前記予約情報に含まれる前記要求可能時間情報によって示される時間は、前記要求に応じて生成した予約情報の数が所定の数未満であるときにおける前記予約情報に含まれる前記要求可能時間情報によって示される時間以上の長さである
ことを特徴とする通信制御装置。
【請求項２】
前記予約情報生成手段が生成した予約情報を記憶する記憶手段を備え、
前記通信手段は、前記予約情報生成手段が生成した前記予約情報を前記要求に応じた前記通信端末に送信し、
前記規制制御手段は、前記通信端末が再度の前記要求に応じて送信した前記予約情報を前記通信手段が受信した場合に、前記予約情報に合致する予約情報が前記記憶手段に記憶されていたときに、前記通信端末を前記通信手段の通信相手に選択する
請求項１に記載の通信制御装置。
【請求項３】
前記予約情報は有効期間を示す有効期間情報を含み、
前記規制制御手段は、前記記憶手段に記憶されている前記予約情報が含む有効期間情報によって示される有効期間が終了した前記予約情報を前記記憶手段から消去する
請求項２に記載の通信制御装置。
【請求項４】
前記予約情報生成手段は、前記予約情報を生成した数をカウントする計数手段を含む
請求項１から請求項３のうちいずれかに記載の通信制御装置。
【請求項５】
請求項１から請求項４のうちいずれかに記載の通信制御装置と、
前記通信端末とを備えた
ことを特徴とする通信制御システム。
【請求項６】
通信リソースを用いて通信端末と通信を行う通信ステップと、
前記通信ステップにおける通信相手の通信端末を選択する規制制御ステップとを含み、
前記規制制御ステップで、前記通信端末に通信開始の要求をされたときに通信するための前記通信リソースが不足している場合に、前記要求をした通信端末の台数が所定の台数未満であるときに、前記通信端末に応じて前記通信リソースを利用予約中であることを示す予約情報を生成する予約情報生成ステップを含み、
前記通信ステップで、前記予約情報生成ステップで生成した前記予約情報に応じた通信端末から通信開始の要求を再度された場合に、前記通信端末に前記通信リソースを割り当て可能なときに、前記通信端末との接続を確立して通信を開始し、
前記予約情報生成ステップで、前記通信端末に通信開始の要求をされたときに通信するための前記通信リソースが不足している場合に、前記要求をした前記通信端末が再度前記要求をすることが可能になる時間を示す要求可能時間情報を含む予約情報を生成し、
前記要求に応じて生成した予約情報の数が所定の数以上であるときにおける前記予約情報に含まれる前記要求可能時間情報によって示される時間は、前記要求に応じて生成した予約情報の数が所定の数未満であるときにおける前記予約情報に含まれる前記要求可能時間情報によって示される時間以上の長さである
ことを特徴とする通信制御方法。
【請求項７】
コンピュータに、
通信リソースを用いて通信端末と通信を行う通信処理と、
前記通信処理における通信相手の通信端末を選択する規制制御処理とを実行させ、
前記規制制御処理で、前記通信端末に通信開始の要求をされたときに通信するための前記通信リソースが不足している場合に、前記要求をした通信端末の台数が所定の台数未満であるときに、前記通信端末に応じて前記通信リソースを利用予約中であることを示す予約情報を生成する予約情報生成処理を実行させ、
前記通信処理で、前記予約情報生成処理で生成した前記予約情報に応じた通信端末から通信開始の要求を再度された場合に、前記通信端末に前記通信リソースを割り当て可能なときに、前記通信端末との接続を確立して通信を開始させ、
前記予約情報生成処理で、前記通信端末に通信開始の要求をされたときに通信するための前記通信リソースが不足している場合に、前記要求をした前記通信端末が再度前記要求をすることが可能になる時間を示す要求可能時間情報を含む予約情報を生成させ、
前記要求に応じて生成した予約情報の数が所定の数以上であるときにおける前記予約情報に含まれる前記要求可能時間情報によって示される時間は、前記要求に応じて生成した予約情報の数が所定の数未満であるときにおける前記予約情報に含まれる前記要求可能時間情報によって示される時間以上の長さである
ことを特徴とする通信制御プログラム。
【発明の詳細な説明】
【技術分野】
【０００１】
本発明は、各通信端末に、より公平に通信リソースを割り当てる通信制御装置、通信制御システム、通信制御方法、および通信制御プログラムに関する。
【背景技術】
【０００２】
通信システムが割り当て可能な通信リソースの量を超えて、複数の通信端末によって発呼要求される場合がある。そのような場合に、通信システムは、一般に、発呼要求への応答を制限するアクセス規制を行う。
【０００３】
３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）で規定されているＬＴＥ（Ｌｏｎｇ  Ｔｅｒｍ  Ｅｖｏｌｕｔｉｏｎ）システムのアクセス規制制御では、各移動通信端末（ＵＥ：Ｕｓｅｒ  Ｅｑｕｉｐｍｅｎｔ）が、発呼制限を行う。具体的には、各ＵＥが、設定されているＡＣ（Ａｃｃｅｓｓ  Ｃｌａｓｓ）と、無線基地局（ｅＮｏｄｅＢ（Ｅｖｏｌｖｅｄ  Ｎｏｄｅ  Ｂ））が報知した規制情報とに基づいて、発呼可能か否かを判定する。そして、各ＵＥは、発呼可能であると判定した場合に、発呼処理を行う。
【０００４】
より具体的には、一般ユーザのＵＥは、予めＡＣが０〜９のいずれかに設定され、アクセス規制が行われている場合に発呼するときに乱数を生成する。そして、ＵＥは、生成した乱数と、規制情報に含まれるバーリングファクタ（Ｂａｒｒｉｎｇ  Ｆａｃｔｏｒ）の値とを比較して、生成した乱数の方が小さい場合に発呼可能と判断し、そうでない場合にバーリングタイム（Ｂａｒｒｉｎｇ  Ｔｉｍｅ）が経過するまで発呼不可能と判断する。
【０００５】
また、ＵＥは、発呼処理を開始したがｅＮｏｄｅＢにおける通信リソース不足によってＲＲＣ（Ｒａｄｉｏ  Ｒｅｓｏｕｒｃｅ  Ｃｏｎｔｒｏｌ）コネクションの確立を拒絶される場合がある。そのような場合に、ＵＥは、ＲＲＣコネクションリジェクトで通知された値がセットされたタイマＴ３０２がタイムアウトするまで、緊急呼を除いて発呼不可能と判断する。なお、タイマＴ３０２は、３ＧＰＰの仕様書で規定されているアクセス規制制御に用いられるタイマの名称である。
【０００６】
特許文献１には、ＵＥが無線基地局にＲＲＣコネクションの確立を要求した場合における無線基地局側の処理方法が記載されている。
【０００７】
特許文献２には、ＵＥが、無線基地局との通信に失敗した場合に再接続用タイマがタイムアウトしてから再接続を試みる方法が記載されている。
【０００８】
特許文献３には、割り当て可能な通信リソースがないときに接続要求したＵＥに予約番号を付与し、通信リソースを割り当て可能になったときに、予約番号を付与したＵＥに通信リソースを割り当てる方法が記載されている。
【先行技術文献】
【特許文献】
【０００９】
【特許文献１】特開２００４−２４１８９７号公報
【特許文献２】特開２００２−１５２８３８号公報
【特許文献３】特開平８−２５１１３２号公報
【発明の概要】
【発明が解決しようとする課題】
【００１０】
上述した３ＧＰＰに規定されているＬＴＥシステムのアクセス規制制御によってＲＲＣコネクションの確立が拒絶されたＵＥは、タイマＴ３０２がタイムアウトするまで発呼処理を行わない。そうすると、タイマＴ３０２がタイムアウトするまでの間に通信リソースを割り当て可能になった場合に、発呼処理を開始した他のＵＥに当該通信リソースが割り当てられる。
【００１１】
すなわち、発呼処理を開始したタイミングの先後に関わらず、発呼処理を行ったときに通信リソースを割り当て可能であったＵＥに当該通信リソースが割り当てられるので、公平性に問題が生じる場合がある。
【００１２】
特許文献１に記載されている方法および特許文献２に記載されている方法は、そのような公平性の問題を解決することができない。
【００１３】
また、特許文献３に記載されている方法は、割り当て可能な通信リソースがないときに発呼処理を行って予約番号を付与されたＵＥには、その後発呼処理を行ったときに通信リソースを割り当て可能であった場合に、当該通信リソースが割り当てられる。
【００１４】
したがって、特許文献３に記載されている方法では、発呼処理を１度行えばＵＥに予約番号が付与される。そして、特許文献３に記載されている方法では、それ以降は、１度目の発呼処理のタイミングの先後に関わらず、発呼処理を行ったときに通信リソースを割り当て可能であったＵＥに当該通信リソースが割り当てられる。
【００１５】
よって、特許文献３に記載されている方法も、公平性の問題を解決することができない。
【００１６】
そこで、本発明は、各通信端末に、より公平に通信リソースを割り当てる通信制御装置、通信制御システム、通信制御方法、および通信制御プログラムを提供することを目的とする。
【課題を解決するための手段】
【００１７】
本発明による通信制御装置は、通信リソースを用いて通信端末と通信を行う通信手段と、通信手段の通信相手の通信端末を選択する規制制御手段とを備え、規制制御手段は、通信端末に通信開始の要求をされたときに通信するための通信リソースが不足している場合に、要求をした通信端末の台数が所定の台数未満であるときに、通信端末に応じて通信リソースを利用予約中であることを示す予約情報を生成する予約情報生成手段を含み、通信手段は、予約情報生成手段が生成した予約情報に応じた通信端末から通信開始の要求を再度された場合に、通信端末に通信リソースを割り当て可能なときに、通信端末との接続を確立して通信を開始することを特徴とする。
【００１８】
本発明による通信制御システムは、いずれかの態様の通信制御装置と、通信端末とを備えたことを特徴とする。
【００１９】
本発明による通信制御方法は、通信リソースを用いて通信端末と通信を行う通信ステップと、通信ステップにおける通信相手の通信端末を選択する規制制御ステップとを含み、規制制御ステップで、通信端末に通信開始の要求をされたときに通信するための通信リソースが不足している場合に、要求をした通信端末の台数が所定の台数未満であるときに、通信端末に応じて通信リソースを利用予約中であることを示す予約情報を生成する予約情報生成ステップを含み、通信ステップで、予約情報生成ステップで生成した予約情報に応じた通信端末から通信開始の要求を再度された場合に、通信端末に通信リソースを割り当て可能なときに、通信端末との接続を確立して通信を開始することを特徴とする。
【００２０】
本発明による通信制御プログラムは、コンピュータに、通信リソースを用いて通信端末と通信を行う通信処理と、通信処理における通信相手の通信端末を選択する規制制御処理とを実行させ、規制制御処理で、通信端末に通信開始の要求をされたときに通信するための通信リソースが不足している場合に、要求をした通信端末の台数が所定の台数未満であるときに、通信端末に応じて通信リソースを利用予約中であることを示す予約情報を生成する予約情報生成処理を実行させ、通信処理で、予約情報生成処理で生成した予約情報に応じた通信端末から通信開始の要求を再度された場合に、通信端末に通信リソースを割り当て可能なときに、通信端末との接続を確立して通信を開始させることを特徴とする。
【発明の効果】
【００２１】
本発明によれば、各通信端末に、より公平に通信リソースを割り当てることができる。
【図面の簡単な説明】
【００２２】
【図１】本発明の第１の実施形態の通信制御装置の構成例を示すブロック図である。
【図２】本発明の第１の実施形態の通信制御装置の通信リソースフル状態における動作を示すシーケンス図である。
【図３】本発明の第１の実施形態の通信制御装置の通信リソースフル状態における動作を示すシーケンス図である。
【図４】タイマがタイムアウトした後における通信制御装置の動作を示すシーケンス図である。
【図５】タイマがタイムアウトした後における通信制御装置の他の動作を示すシーケンス図である。
【図６】本発明の第２の実施形態の通信制御装置の構成例を示すブロック図である。
【発明を実施するための形態】
【００２３】
実施形態１．
本発明の第１の実施形態の通信制御装置３００について、図面を参照して説明する。図１は、本発明の第１の実施形態の通信制御装置３００の構成例を示すブロック図である。
【００２４】
図１に示すように、本発明の第１の実施形態の通信制御装置３００は、各ＵＥ１００−１〜ｎ，２００−１〜ｍと情報を送受信する。なお、ＵＥ１００−１〜ｎ，２００−１〜ｍは、例えば、携帯電話機等の移動体通信端末である。また、通信制御装置３００は、例えば、携帯電話通信網における無線基地局である。
【００２５】
そして、通信制御装置３００と各ＵＥ１００−１〜ｎとの間の接続が確立されているとする。具体的には、例えば、通信制御装置３００と各ＵＥ１００−１〜ｎとの間でＲＲＣコネクションが確立しているとする。また、各ＵＥ２００−１〜ｍは、通信制御装置３００のセル内にあるが、通信制御装置３００との間でＲＲＣコネクションが確立していないとする。
【００２６】
図１に示すように、本発明の第１の実施形態の通信制御装置３００は、ｅＮｏｄｅＢ機能部３１０、規制制御機能部３２０、および記憶部３３０を含む。
【００２７】
ｅＮｏｄｅＢ機能部３１０は、例えば、通信制御装置３００をＬＴＥの規格に基づいてｅＮｏｄｅＢとして動作させる。また、規制制御機能部３２０は、通信制御装置３００が有する通信リソースの利用状況に応じて、ｅＮｏｄｅＢ機能部３１０の動作を制御する。なお、以下、ＵＥ２００−１〜ｍをＵＥ２００と総称することがある。また、通信制御装置３００と各ＵＥ１００−１〜ｎとの間の接続が確立して通信制御装置３００が有する通信リソースが利用されて新たにＵＥ２００とＲＲＣコネクションを確立することが不可能な状態を通信リソースフル状態という。
【００２８】
次に、本発明の第１の実施形態の通信制御装置３００の動作について説明する。図２および図３は、本発明の第１の実施形態の通信制御装置３００の通信リソースフル状態における動作を示すシーケンス図である。
【００２９】
通信制御装置３００は、通信リソースフル状態において、ｅＮｏｄｅＢ機能部３１０がＵＥ２００からＲＲＣコネクションの確立を要求するＲＲＣコネクション要求を受信した場合に（ステップＳ１０１）、以下の処理を行う。すなわち、規制制御機能部３２０が、通信制御装置３００を示す識別子と、通信リソースを利用予約中であることを示す予約番号とを含む予約情報を所定数ｍ−１以上生成したか否かを判断する（ステップＳ１０２）。なお、携帯電話通信網において複数のＵＥ２００に応じて同じ予約情報が重複して生成されることはないとする。
【００３０】
規制制御機能部３２０は予約情報の生成数をカウントする予約情報生成数カウンタ（計数手段）を含み、当該カウンタの値が所定数ｍ−１以上でない場合に（ステップＳ１０２のＮ）、予約番号が値Ａである予約情報を生成する（ステップＳ１０３）。そして、規制制御機能部３２０は、予約情報生成数カウンタの値を１カウントアップして、ステップＳ１０３の処理で生成した予約情報を記憶部３３０に記憶させる（ステップＳ１０４）。また、規制制御機能部３２０は、ＵＥ２００が再度ＲＲＣコネクション要求を送信可能になるまでの時間を示す値にＹを設定する（ステップＳ１０５）。なお、値Ｙは、例えば、４０００ｍｓｅｃであり、後述する値Ｘ以下の値であるとする。そして、値Ｙは、後述するように、ＵＥ２００においてタイムアウトするまでＲＲＣコネクション要求の送信を制限するためのタイマＴ３０２にセットされる。
【００３１】
そして、ｅＮｏｄｅＢ機能部３１０は、値Ｙと、ＲＲＣコネクションを確立することが不可能であることとを示し、予約情報を含むＲＲＣコネクションリジェクトを送信する（ステップＳ１０６）。
【００３２】
ＵＥ２００（以下、本例では、ＵＥ２００−１とする）は、ステップＳ１０６の処理で送信されたＲＲＣコネクションリジェクトを受信した場合に、以下の処理を行う。すなわち、ＵＥ２００−１は、ＲＲＣコネクションリジェクトによって含まれる予約情報を内蔵する記憶手段（図示せず）に記憶させる（ステップＳ１０７）。また、ＵＥ２００−１は、ＲＲＣコネクションリジェクトによって示される値ＹをタイマＴ３０２にセットして、当該タイマＴ３０２を起動させる（ステップＳ１０８）。
【００３３】
また、規制制御機能部３２０は、予約情報生成数カウンタの値が所定数ｍ−１以上である場合に（ステップＳ１０２のＹ）、ＵＥ２００（本例では、以下、ＵＥ２００−ｍとする）が再度ＲＲＣコネクション要求を送信可能になるまでの時間を示す値にＸを設定する（ステップＳ１０９）。なお、値Ｘは、前述した値Ｙ以上の値であるとする。そして、値Ｘは、後述するように、ＵＥ２００−ｍにおいてタイムアウトするまでＲＲＣコネクション要求の送信を制限するためのタイマＴ３０２にセットされる。したがって、既に予約情報をｍ−１回以上生成してから受信されたＲＲＣコネクション要求の送信元のＵＥ２００−ｍがＲＲＣコネクション要求を再送可能になるまでの時間は、ＵＥ２００−１における当該時間よりも長い。つまり、後にＲＲＣコネクション要求を送信したＵＥ２００−ｍは、先にＲＲＣコネクション要求を送信したＵＥ２００−１よりも長い時間経過後にＲＲＣコネクション要求を送信することが可能になる。
【００３４】
そして、ｅＮｏｄｅＢ機能部３１０は、値Ｘと、ＲＲＣコネクションを確立することが不可能であることとを示し、予約情報を含まないＲＲＣコネクションリジェクトを送信する（ステップＳ１１０）。
【００３５】
ＵＥ２００−ｍは、ステップＳ１１０の処理で送信されたＲＲＣコネクションリジェクトを受信した場合に、以下の処理を行う。すなわち、ＵＥ２００−ｍは、ＲＲＣコネクションリジェクトによって示される値ＸをタイマＴ３０２にセットして、当該タイマＴ３０２を起動させる（ステップＳ１１１）。
【００３６】
図４は、タイマＴ３０２がタイムアウトした後における通信制御装置３００の動作を示すシーケンス図である。なお、通信制御装置３００は、新たに他のＵＥ２００とＲＲＣコネクションを確立することが可能であるとする。しかし、通信制御装置３００が新たにＲＲＣコネクションを確立することが可能なＵＥ２００の台数は、予約情報生成数カウンタの値よりも少ない状態（以下、通信リソース不足状態という）とする。
【００３７】
通信制御装置３００が通信リソース不足状態において、ｅＮｏｄｅＢ機能部３１０は、値ＹがセットされたタイマＴ３０２がタイムアウトしたＵＥ２００−１からＲＲＣコネクション要求を受信する（ステップＳ２０１，Ｓ２０２）。なお、通信制御装置３００のｅＮｏｄｅＢ機能部３１０がステップＳ２０２の処理で受信したＲＲＣコネクション要求には、ステップＳ１０７の処理でＵＥ２００−１の記憶手段に記憶された予約情報が含まれているとする。
【００３８】
通信制御装置３００の規制制御機能部３２０は、ステップＳ２０２の処理で受信したＲＲＣコネクション要求に含まれる予約情報と合致する予約情報が記憶部３３０に記憶されているか否かの照合処理を行う（ステップＳ２０３）。
【００３９】
本例では、ステップＳ２０２の処理で通信制御装置３００が受信したＲＲＣコネクション要求に含まれる予約情報と合致する予約情報が、ステップＳ１０４の処理で記憶部３３０に記憶されている。よって、本例では、通信制御装置３００の規制制御機能部３２０は、ステップＳ２０３の照合処理で、ステップＳ２０２の処理で受信したＲＲＣコネクション要求に含まれる予約情報と合致する予約情報が記憶部３３０に記憶されていると判断する。
【００４０】
すると、通信制御装置３００の規制制御機能部３２０は、ｅＮｏｄｅＢ機能部３１０に、ＵＥ２００−１とＲＲＣコネクションを確立させる（ステップＳ２０４）。そして、規制制御機能部３２０は、ステップＳ２０３の照合処理で合致した予約情報を記憶部３３０から消去し、予約情報生成数カウンタの値を１カウントダウンする。
【００４１】
また、通信制御装置３００のｅＮｏｄｅＢ機能部３１０は、値ＸがセットされたタイマＴ３０２がタイムアウトしたＵＥ２００−ｍが送信したＲＲＣコネクション要求を受信する（ステップＳ２０５，Ｓ２０６）。なお、通信制御装置３００のｅＮｏｄｅＢ機能部３１０がステップＳ２０６の処理で受信したＲＲＣコネクション要求には、予約情報が含まれていないとする。
【００４２】
すると、規制制御機能部３２０は、ＵＥ２００−ｍが再度ＲＲＣコネクション要求を送信可能になるまでの時間を示す値にＸを設定する（ステップＳ２０７）。そして、ｅＮｏｄｅＢ機能部３１０は、値Ｘと、ＲＲＣコネクションを確立することが不可能であることとを示し、予約情報を含まないＲＲＣコネクションリジェクトを送信する（ステップＳ２０８）。
【００４３】
図５は、タイマＴ３０２がタイムアウトした後における通信制御装置３００の他の動作を示すシーケンス図である。なお、通信制御装置３００は、新たに他のＵＥ２００とＲＲＣコネクションを確立することが不可能な通信リソースフル状態であるとする。
【００４４】
通信制御装置３００が通信リソースフル状態において、ｅＮｏｄｅＢ機能部３１０は、値ＹがセットされたタイマＴ３０２がタイムアウトしたＵＥ２００−１が送信したＲＲＣコネクション要求を受信する（ステップＳ３０１，Ｓ３０２）。なお、通信制御装置３００のｅＮｏｄｅＢ機能部３１０がステップＳ３０２の処理で受信したＲＲＣコネクション要求には、ステップＳ１０７の処理でＵＥ２００−１の記憶手段に記憶された予約情報が含まれているとする。
【００４５】
通信制御装置３００の規制制御機能部３２０は、ステップＳ３０２の処理で受信したＲＲＣコネクション要求に含まれる予約情報と合致する予約情報が記憶部３３０に記憶されているか否かの照合処理を行う（ステップＳ３０３）。
【００４６】
本例では、ステップＳ３０２の処理で通信制御装置３００が受信したＲＲＣコネクション要求に含まれる予約情報と合致する予約情報が、ステップＳ１０４の処理で記憶部３３０に記憶されている。よって、本例では、通信制御装置３００の規制制御機能部３２０は、ステップＳ３０３の照合処理で、ステップＳ３０２の処理で受信したＲＲＣコネクション要求に含まれる予約情報と合致する予約情報が記憶部３３０に記憶されていると判断する。
【００４７】
しかし、通信制御装置３００は通信リソースフル状態である。そうすると、規制制御機能部３２０は、ステップＳ３０３の照合処理を行った予約情報を記憶部３３０から消去し（ステップＳ３０４）、予約番号が値Ｂである予約情報を新たに生成する（ステップＳ３０５）。そして、規制制御機能部３２０は、ステップＳ３０５の処理で生成した予約情報を記憶部３３０に記憶させる（ステップＳ３０６）。また、規制制御機能部３２０は、ＵＥ２００が再度ＲＲＣコネクション要求を送信可能になるまでの時間を示す値にＹを設定する（ステップＳ３０７）。
【００４８】
そして、ｅＮｏｄｅＢ機能部３１０は、値Ｙと、ＲＲＣコネクションを確立することが不可能であることとを示し、予約情報を含むＲＲＣコネクションリジェクトを送信する（ステップＳ３０８）。
【００４９】
ＵＥ２００−１は、ステップＳ３０８の処理で送信されたＲＲＣコネクションリジェクトを受信した場合に、以下の処理を行う。すなわち、ＵＥ２００−１は、ＲＲＣコネクションリジェクトによって含まれる予約情報を、内蔵する記憶手段に記憶させる（ステップＳ３０９）。また、ＵＥ２００−１は、ＲＲＣコネクションリジェクトによって示される値ＹをタイマＴ３０２にセットして、当該タイマＴ３０２を起動させる（ステップＳ３１０）。
【００５０】
本実施形態によれば、通信制御装置３００は、予約情報を所定数以上生成するまでに受信したＲＲＣコネクション要求の送信元のＵＥ２００−１に、予約情報を生成して送信する。また、通信制御装置３００は、所定数以上生成してから受信したＲＲＣコネクション要求の送信元のＵＥ２００−ｍに対しては予約情報を生成しない。そして、通信制御装置３００は、その後予約情報を含むＲＲＣコネクション要求を送信したＵＥ２００−１との間で、ＵＥ２００−ｍよりも優先してＲＲＣコネクションを確立する。したがって、通信制御装置３００は、先に受信したＲＲＣコネクション要求の送信元のＵＥ２００−１との間で、後に受信したＲＲＣコネクション要求の送信元のＵＥ２００−ｍよりも優先して、ＲＲＣコネクションを確立する。つまり、通信制御装置３００は、より先に受信したＲＲＣコネクション要求の送信元のＵＥ２００−１を通信相手に選択する。よって、ＲＲＣコネクション要求の送信タイミングの先後に基づいて、通信制御装置３００とＵＥ２００との間で公平にＲＲＣコネクションを確立させることができる。
【００５１】
また、本実施形態によれば、通信制御装置３００は、ＵＥ２００−ｍが再度ＲＲＣコネクション要求を送信可能になるまでの時間を示す値に、ＵＥ２００−１における値Ｙ以上の値Ｘを設定する。したがって、ＲＲＣコネクション要求の送信タイミングがＵＥ２００−１における送信タイミングよりも後のＵＥ２００−ｍによるＲＲＣコネクション要求の再送間隔を長くすることができる。よって、通信制御装置３００において、ＵＥ２００−ｍによって利用される通信リソースの量を削減することができる。つまり、通信制御装置３００の処理負荷を軽減することができる。
【００５２】
なお、規制制御機能部３２０は、予約情報の有効期間を示す有効期間情報を含む予約情報を生成し、記憶部３３０に記憶されている予約情報が含む有効期間情報によって示される有効期間が終了した予約情報を記憶部３３０から消去するように構成されていてもよい。そのような構成によれば、記憶部３３０に記憶された予約情報を、生成されてからの期間に応じて整理して、記憶部３３０における記憶量の増大を良好に抑制することができる。
【００５３】
なお、本例では、通信制御装置３００は、ステップＳ２０６の処理の後に、ステップＳ２０７以降の処理を実行しているがステップＳ１０２以降の処理を実行するように構成されていてもよい。
【００５４】
また、本例では、ＵＥは、携帯電話機等の移動体通信端末であるとして説明したが、有線通信回線を介して通信を行う通信端末であってもよい。また、通信制御装置３００は、携帯電話通信網における無線基地局であるとして説明したが、有線通信回線網における収容局等に設置され、有線通信回線を介して通信端末と通信を行う装置であってもよい。
【００５５】
実施形態２．
次に、本発明の第２の実施形態の通信制御装置３０について、図面を参照して説明する。図６は、本発明の第２の実施形態の通信制御装置３０の構成例を示すブロック図である。図６に示すように、本発明の第２の実施形態の通信制御装置３０は、予約情報生成部３４を含む規制制御部３２、および通信部３１を含む。なお、通信制御装置３０は、図１に示す通信制御装置３００に相当する。また、予約情報生成部３４および規制制御部３２は、図１に示す規制制御機能部３２０に相当する。通信部３１は、図１に示すｅＮｏｄｅＢ機能部３１０に相当する。
【００５６】
通信部３１は、通信リソースを用いて通信端末２０（ＵＥ２００に相当）と通信を行う。規制制御部３２は、通信部３１の通信相手の通信端末２０を選択する。また、規制制御部３２は、通信端末２０に通信開始の要求をされたときに通信するための通信リソースが不足している場合に、当該要求をした通信端末２０の台数が所定の台数未満であるときに、通信端末２０に応じて通信リソースを利用予約中であることを示す予約情報を生成する予約情報生成部３４を含む。
【００５７】
そして、通信部３１は、予約情報生成部３４が生成した予約情報に応じた通信端末２０から通信開始の要求を再度された場合に、通信端末２０に通信リソースを割り当て可能なときに、通信端末２０との接続を確立して通信を開始する。
【００５８】
本実施形態によれば、各通信端末２０に、より公平に通信リソースを割り当てることができる。
【符号の説明】
【００５９】
２０    通信端末
３０、３００    通信制御装置
３１    通信部
３２    規制制御部
３４    予約情報生成部
１００−１〜ｎ、２００−１〜ｍ    ＵＥ
３１０    ｅＮｏｄｅＢ機能部
３２０    規制制御機能部
３３０    記憶部
【図１】
0006480131.tif 000002
【図２】
0006480131.tif 000003
【図３】
0006480131.tif 000004
【図４】
0006480131.tif 000005
【図５】
0006480131.tif 000006
【図６】
0006480131.tif 000007